(57)【要約】【課題】端末利用情報の漏洩を防止し、端末利用情報のバックアップを容易に行うこと。【解決手段】携帯端末事業者システム７０1に対応する管理端末８０1から、あるユーザに携帯される携帯端末１０1で利用される端末利用情報（アドレス帳情報、スケジュール情報、着信メロディ情報、写真画像情報、動画情報、壁紙情報）の消去指示を受け付けるステップと、消去指示に基づいて、携帯端末１０1に端末利用情報を消去させるためのショートメッセージを携帯端末１０1宛に、携帯端末事業者システム７０1に送信させるステップとを含む。【選択図】        図１
2005151140.tif 000002
【特許請求の範囲】
【請求項１】
コンピュータに、
管理端末から、携帯端末で利用される端末利用情報の消去指示を受け付ける消去受付工程と、
前記消去指示に基づいて、前記携帯端末に前記端末利用情報を消去させるための消去指示メッセージを、前記携帯端末宛に送信させる消去指示メッセージ送信工程と、
を実行させるための端末利用情報管理プログラム。
【請求項２】
前記コンピュータに、前記携帯端末から前記端末利用情報に関する消去の完了通知を受け付ける消去完了受付工程を実行させることを特徴とする請求項１に記載の端末利用情報管理プログラム。
【請求項３】
前記コンピュータに、前記携帯端末から、該携帯端末で保存された端末利用情報と、他の端末とも共用される端末利用情報との同期をとる同期指示を受け付ける同期受付工程と、前記同期指示に基づいて、両端末利用情報との同期をとる同期処理工程と、同期の結果を前記携帯端末に取得させるための同期結果取得メッセージを、前記携帯端末宛に送信させる同期結果取得メッセージ送信工程と、を実行させることを特徴とする請求項１または２に記載の端末利用情報管理プログラム。
【請求項４】
コンピュータに、
前記携帯端末から、該携帯端末で保存された端末利用情報と、他の端末とも共用される共用端末利用情報との同期をとる同期指示を受け付ける同期受付工程と、
前記同期指示に基づいて、前記端末利用情報と共用端末利用情報の同期をとる同期処理工程と、
同期の結果を前記携帯端末に取得させるための同期結果取得メッセージを、前記携帯端末宛に送信させる同期結果取得メッセージ送信工程と、
を実行させるための端末利用情報管理プログラム。
【請求項５】
前記同期処理工程では、前記携帯端末で保存された端末利用情報を、前記共用端末利用情報に上書きすることを特徴とする請求項４に記載の端末利用情報管理プログラム。
【請求項６】
前記端末利用情報は、複数のカテゴリに分類され、カテゴリ選択されることを特徴とする請求項１〜５のいずれか一つに記載の端末利用情報管理プログラム。
【請求項７】
管理端末から、携帯端末で利用される端末利用情報の消去指示を受け付ける消去受付工程と、
前記消去指示に基づいて、前記携帯端末に前記端末利用情報を消去させるための消去指示メッセージを、前記携帯端末宛に送信させる消去指示メッセージ送信工程と、
を含むことを特徴とする端末利用情報管理方法。
【請求項８】
前記携帯端末から前記端末利用情報に関する消去の完了通知を受け付ける消去完了受付工程を含むことを特徴とする請求項７に記載の端末利用情報管理方法。
【請求項９】
前記携帯端末から、該携帯端末で保存された端末利用情報と、他の端末とも共用される端末利用情報との同期をとる同期指示を受け付ける同期受付工程と、前記同期指示に基づいて、両端末利用情報の同期をとる同期処理工程と、同期の結果を前記携帯端末に取得させるための同期結果取得メッセージを、前記携帯端末宛に送信させる同期結果取得メッセージ送信工程と、を含むことを特徴とする請求項７または８に記載の端末利用情報管理方法。
【請求項１０】
携帯端末から、該携帯端末で保存された端末利用情報と、他の端末とも共用される共用端末利用情報との同期をとる同期指示を受け付ける同期受付工程と、
前記同期指示に基づいて、前記端末利用情報と共用端末利用情報との同期をとる同期処理工程と、
同期の結果を前記携帯端末に取得させるための同期結果取得メッセージを、前記携帯端末宛に送信させる同期結果取得メッセージ送信工程と、
を含むことを特徴とする端末利用情報管理方法。
【請求項１１】
前記同期処理工程では、前記携帯端末で保存された端末利用情報を、前記共用端末利用情報に上書きすることを特徴とする請求項１０に記載の端末利用情報管理方法。
【請求項１２】
前記端末利用情報は、複数のカテゴリに分類され、カテゴリ選択されることを特徴とする請求項７〜１１のいずれか一つに記載の端末利用情報管理方法。
【請求項１３】
管理端末から、携帯端末で利用される端末利用情報の消去指示を受け付ける消去受付手段と、
前記消去指示に基づいて、前記携帯端末に前記端末利用情報を消去させるための消去指示メッセージを、前記携帯端末宛に送信させる消去指示メッセージ送信手段と、
を備えたことを特徴とする端末利用情報管理装置。
【請求項１４】
前記携帯端末から前記端末利用情報に関する消去の完了通知を受け付ける消去完了受付手段を備えたことを特徴とする請求項１３に記載の端末利用情報管理装置。
【請求項１５】
前記携帯端末から、該携帯端末で保存された端末利用情報と、他の端末とも共用される端末利用情報との同期をとる同期指示を受け付ける同期受付手段と、前記同期指示に基づいて、両端末利用情報の同期をとる同期処理手段と、同期の結果を前記携帯端末に取得させるための同期結果取得メッセージを、前記携帯端末宛に送信させる同期結果取得メッセージ送信手段と、を備えたことを特徴とする請求項１３または１４に記載の端末利用情報管理装置。
【請求項１６】
携帯端末から、該携帯端末で保存された端末利用情報と、他の端末とも共用される共用端末利用情報との同期をとる同期指示を受け付ける同期受付手段と、
前記同期指示に基づいて、前記端末利用情報と共用端末利用情報との同期をとる同期処理手段と、
同期の結果を前記携帯端末に取得させるための同期結果取得メッセージを、前記携帯端末宛に送信させる同期結果取得メッセージ送信手段と、
を備えたことを特徴とする端末利用情報管理装置。
【請求項１７】
前記同期処理手段は、前記携帯端末で保存された端末利用情報を、前記共用端末利用情報に上書きすることを特徴とする請求項１６に記載の端末利用情報管理装置。
【請求項１８】
前記端末利用情報は、複数のカテゴリに分類され、カテゴリ選択されることを特徴とする請求項１３〜１７のいずれか一つに記載の端末利用情報管理装置。
【請求項１９】
コンピュータに、
管理端末から、携帯端末で利用される端末利用情報を消去させるための消去指示メッセージを受信する受信工程と、
前記消去指示メッセージに基づいて、前記端末利用情報を消去する消去工程と、
を実行させるための携帯端末制御プログラム。
【請求項２０】
管理端末から、携帯端末で利用される端末利用情報を消去させるための消去指示メッセージを受信する受信工程と、
前記消去指示メッセージに基づいて、前記端末利用情報を消去する消去工程と、
を含むことを特徴とする携帯端末制御方法。
【請求項２１】
管理端末から携帯端末で利用される端末利用情報を消去させるための消去指示メッセージを受信する受信手段と、
前記消去指示メッセージに基づいて、前記端末利用情報を消去する消去手段と、
を備えたことを特徴とする携帯端末制御装置。
【発明の詳細な説明】
【技術分野】
【０００１】
本発明は、端末利用情報管理プログラム、端末利用情報管理方法、端末利用情報管理装置、携帯端末制御プログラム、携帯端末制御方法および携帯端末制御装置に関するものであり、特に、端末利用情報の漏洩を防止することができ、端末利用情報のバックアップを容易に行うことができる端末利用情報管理プログラム、端末利用情報管理方法、端末利用情報管理装置、携帯端末制御プログラム、携帯端末制御方法および携帯端末制御装置に関するものである。
【背景技術】
【０００２】
近時、携帯電話端末、ＰＨＳ（Personal Handyphone System）端末、ＰＤＡ（Personal Digital Assistant）等の携帯端末が急速に普及している。かかる携帯端末には、携帯端末で利用される端末利用情報が格納されている。ここで、端末利用情報は、電話番号、住所、氏名、電子メールアドレス等からなるアドレス帳情報や、スケジュール情報等から構成されており、携帯端末のユーザに関する個人情報である。
【０００３】
また、従来の携帯端末は、上記端末利用情報が第三者に漏洩するのを防止するために、暗証番号によるロック機能を備えている。すなわち、ロック機能を備えた携帯電話においては、ボタン操作をロックする設定をしておき、ユーザ本人のみが知り得る暗証番号が入力された場合に限り、上記端末利用情報の読み出しが可能となる。
【０００４】
また、従来においては、携帯端末の紛失や故障に備えて、専用のソフトウェアを用いて、端末利用情報をパーソナルコンピュータにバックアップする方法や、メモリカードに端末利用情報をバックアップする方法が採られている。
【０００５】
【特許文献１】特開２００２−２４４９８６号公報
【発明の開示】
【発明が解決しようとする課題】
【０００６】
しかしながら、従来においては、携帯端末にロック機能を備え、端末利用情報の漏洩を防止しているが、実質的に効果が無く、いとも簡単に端末利用情報が第三者に漏洩し、セキュリティが低いという問題があった。
【０００７】
すなわち、従来より、暗証番号を総当たり方式により解読する暗号解読ソフトウェアが流通しており、この暗号解読ソフトウェアを用いれば、４桁の暗証番号ならば、わずか数分で暗証番号が解読される。
【０００８】
従って、第三者に携帯端末が渡った場合には、解読された暗証番号を悪用してロックを解除することにより、第三者が不正に端末利用情報を読み出すことが可能となる。
【０００９】
また、従来においては、端末利用情報のバックアップに際して、専用のソフトウェアやメモリカード等をユーザ側で用意する必要があり、手間がかかるという問題があった。
【００１０】
本発明は、上記に鑑みてなされたものであって、端末利用情報の漏洩を防止することができ、端末利用情報のバックアップを容易に行うことができる端末利用情報管理プログラム、端末利用情報管理方法、端末利用情報管理装置、携帯端末制御プログラム、携帯端末制御方法および携帯端末制御装置を提供することを目的とする。
【課題を解決するための手段】
【００１１】
上述した課題を解決し、目的を達成するために、本発明は、コンピュータに、管理端末から、携帯端末で利用される端末利用情報の消去指示を受け付ける消去受付工程と、前記消去指示に基づいて、前記携帯端末に前記端末利用情報を消去させるための消去指示メッセージを、前記携帯端末宛に送信させる消去指示メッセージ送信工程と、を実行させるための端末利用情報管理プログラムである。
【００１２】
この発明によれば、管理端末から、携帯端末で利用される端末利用情報の消去指示を受け付け、消去指示に基づいて、携帯端末に端末利用情報を消去させるための消去指示メッセージを、携帯端末宛に送信させることとしたので、端末利用情報の漏洩を防止することができる。
【００１３】
また、本発明は、上記発明において、前記コンピュータに、前記携帯端末から前記端末利用情報に関する消去の完了通知を受け付ける消去完了受付工程を実行させることを特徴とする。
【００１４】
この発明によれば、携帯端末から端末利用情報に関する消去の完了通知を受け付けることとしたので、確実に消去されたことを当該携帯電話のユーザに報知することができ、安心感を与えることができる。
【００１５】
また、本発明は、上記発明において、前記コンピュータに、前記携帯端末から、該携帯端末で保存された端末利用情報と、他の端末とも共用される端末利用情報との同期をとる同期指示を受け付ける同期受付工程と、前記同期指示に基づいて、両端末利用情報との同期をとる同期処理工程と、同期の結果を前記携帯端末に取得させるための同期結果取得メッセージを、前記携帯端末宛に送信させる同期結果取得メッセージ送信工程と、を実行させることを特徴とする。
【００１６】
この発明によれば、携帯端末から、該携帯端末で保存された端末利用情報と、他の端末とも共用される端末利用情報との同期をとる同期指示を受け付け、同期指示に基づいて、両端末利用情報の同期をとり、同期の結果を携帯端末に取得させるための同期結果取得メッセージを、携帯端末宛に送信させることとしたので、簡単な操作で同期をとることができる。
【００１７】
また、本発明は、コンピュータに、前記携帯端末から、該携帯端末で保存された端末利用情報と、他の端末とも共用される共用端末利用情報との同期をとる同期指示を受け付ける同期受付工程と、前記同期指示に基づいて、前記端末利用情報と共用端末利用情報の同期をとる同期処理工程と、同期の結果を前記携帯端末に取得させるための同期結果取得メッセージを、前記携帯端末宛に送信させる同期結果取得メッセージ送信工程と、を実行させるための端末利用情報管理プログラムである。
【００１８】
この発明によれば、携帯端末から、該携帯端末で保存された端末利用情報と、他の端末とも共用される共用端末利用情報との同期をとる同期指示を受け付け、同期指示に基づいて、端末利用情報と共用端末利用情報との同期をとり、同期の結果を携帯端末に取得させるための同期結果取得メッセージを、携帯端末宛に送信させることとしたので、簡単な操作で同期をとることができる。
【００１９】
また、本発明は、上記発明において、前記同期処理工程では、前記携帯端末で保存された端末利用情報を、前記共用端末利用情報に上書きすることを特徴とする。
【００２０】
この発明によれば、携帯端末で保存された端末利用情報を、共用端末利用情報に上書きすることとしたので、端末利用情報のバックアップを容易に行うことができる。
【００２１】
また、本発明は、上記発明において、前記端末利用情報は、複数のカテゴリに分類され、カテゴリ選択されることを特徴とする。
【００２２】
この発明によれば、端末利用情報を複数のカテゴリに分類し、カテゴリ選択することとしたので、ユーザが所望するカテゴリの端末利用情報の削除や同期を実行させることができる。
【００２３】
また、本発明は、管理端末から、携帯端末で利用される端末利用情報の消去指示を受け付ける消去受付工程と、前記消去指示に基づいて、前記携帯端末に前記端末利用情報を消去させるための消去指示メッセージを、前記携帯端末宛に送信させる消去指示メッセージ送信工程と、を含むことを特徴とする。
【００２４】
この発明によれば、管理端末から、携帯端末で利用される端末利用情報の消去指示を受け付け、消去指示に基づいて、携帯端末に端末利用情報を消去させるための消去指示メッセージを、携帯端末宛に送信させることとしたので、端末利用情報の漏洩を防止することができる。
【００２５】
また、本発明は、上記発明において、前記携帯端末から前記端末利用情報に関する消去の完了通知を受け付ける消去完了受付工程を含むことを特徴とする。
【００２６】
この発明によれば、携帯端末から端末利用情報に関する消去の完了通知を受け付けることとしたので、確実に消去されたことを当該携帯電話のユーザに報知することができ、安心感を与えることができる。
【００２７】
また、本発明は、上記発明において、前記携帯端末から、該携帯端末で保存された端末利用情報と、他の端末とも共用される端末利用情報との同期をとる同期指示を受け付ける同期受付工程と、前記同期指示に基づいて、両端末利用情報の同期をとる同期処理工程と、同期の結果を前記携帯端末に取得させるための同期結果取得メッセージを、前記携帯端末宛に送信させる同期結果取得メッセージ送信工程と、を含むことを特徴とする。
【００２８】
この発明によれば、携帯端末から、該携帯端末で保存された端末利用情報と、他の端末とも共用される端末利用情報との同期をとる同期指示を受け付け、同期指示に基づいて、両端末利用情報の同期をとり、同期の結果を携帯端末に取得させるための同期結果取得メッセージを、携帯端末宛に送信させることとしたので、簡単な操作で同期をとることができる。
【００２９】
また、本発明は、携帯端末から、該携帯端末で保存された端末利用情報と、他の端末とも共用される共用端末利用情報との同期をとる同期指示を受け付ける同期受付工程と、前記同期指示に基づいて、前記端末利用情報と共用端末利用情報との同期をとる同期処理工程と、同期の結果を前記携帯端末に取得させるための同期結果取得メッセージを、前記携帯端末宛に送信させる同期結果取得メッセージ送信工程と、を含むことを特徴とする。
【００３０】
この発明によれば、携帯端末から、該携帯端末で保存された端末利用情報と、他の端末とも共用される共用端末利用情報との同期をとる同期指示を受け付け、同期指示に基づいて、端末利用情報と共用端末利用情報との同期をとり、同期の結果を携帯端末に取得させるための同期結果取得メッセージを、携帯端末宛に送信させることとしたので、簡単な操作で同期をとることができる。
【００３１】
また、本発明は、上記発明において、前記同期処理工程では、前記携帯端末で保存された端末利用情報を、前記共用端末利用情報に上書きすることを特徴とする。
【００３２】
この発明によれば、携帯端末で保存された端末利用情報を、共用端末利用情報に上書きすることとしたので、端末利用情報のバックアップを容易に行うことができる。
【００３３】
また、本発明は、上記発明において、前記端末利用情報は、複数のカテゴリに分類され、カテゴリ選択されることを特徴とする。
【００３４】
この発明によれば、端末利用情報を複数のカテゴリに分類し、カテゴリ選択することとしたので、ユーザが所望するカテゴリの端末利用情報の削除や同期を実行させることができる。
【００３５】
また、本発明は、管理端末から、携帯端末で利用される端末利用情報の消去指示を受け付ける消去受付手段と、前記消去指示に基づいて、前記携帯端末に前記端末利用情報を消去させるための消去指示メッセージを、前記携帯端末宛に送信させる消去指示メッセージ送信手段と、を備えたことを特徴とする。
【００３６】
この発明によれば、管理端末から、携帯端末で利用される端末利用情報の消去指示を受け付け、消去指示に基づいて、携帯端末に端末利用情報を消去させるための消去指示メッセージを、携帯端末宛に送信させることとしたので、端末利用情報の漏洩を防止することができる。
【００３７】
また、本発明は、上記発明において、前記携帯端末から前記端末利用情報に関する消去の完了通知を受け付ける消去完了受付手段を備えたことを特徴とする。
【００３８】
この発明によれば、携帯端末から端末利用情報に関する消去の完了通知を受け付けることとしたので、確実に消去されたことを当該携帯電話のユーザに報知することができ、安心感を与えることができる。
【００３９】
また、本発明は、上記発明において、前記携帯端末から、該携帯端末で保存された端末利用情報と、他の端末とも共用される端末利用情報との同期をとる同期指示を受け付ける同期受付手段と、前記同期指示に基づいて、両端末利用情報の同期をとる同期処理手段と、同期の結果を前記携帯端末に取得させるための同期結果取得メッセージを、前記携帯端末宛に送信させる同期結果取得メッセージ送信手段と、を備えたことを特徴とする。
【００４０】
この発明によれば、携帯端末から、該携帯端末で保存された端末利用情報と、他の端末とも共用される端末利用情報との同期をとる同期指示を受け付け、同期指示に基づいて、両端末利用情報の同期をとり、同期の結果を携帯端末に取得させるための同期結果取得メッセージを、携帯端末宛に送信させることとしたので、簡単な操作で同期をとることができる。
【００４１】
また、本発明は、携帯端末から、該携帯端末で保存された端末利用情報と、他の端末とも共用される共用端末利用情報との同期をとる同期指示を受け付ける同期受付手段と、前記同期指示に基づいて、前記端末利用情報と共用端末利用情報との同期をとる同期処理手段と、同期の結果を前記携帯端末に取得させるための同期結果取得メッセージを、前記携帯端末宛に送信させる同期結果取得メッセージ送信手段と、を備えたことを特徴とする。
【００４２】
この発明によれば、携帯端末から、該携帯端末で保存された端末利用情報と、他の端末とも共用される共用端末利用情報との同期をとる同期指示を受け付け、同期指示に基づいて、端末利用情報と共用端末利用情報との同期をとり、同期の結果を携帯端末に取得させるための同期結果取得メッセージを、携帯端末宛に送信させることとしたので、簡単な操作で同期をとることができる。
【００４３】
また、本発明は、上記発明において、前記同期処理手段は、前記携帯端末で保存された端末利用情報を、前記共用端末利用情報に上書きすることを特徴とする。
【００４４】
この発明によれば、携帯端末で保存された端末利用情報を、共用端末利用情報に上書きすることとしたので、端末利用情報のバックアップを容易に行うことができる。
【００４５】
また、本発明は、上記発明において、前記端末利用情報は、複数のカテゴリに分類され、カテゴリ選択されることを特徴とする。
【００４６】
この発明によれば、端末利用情報を複数のカテゴリに分類し、カテゴリ選択することとしたので、ユーザが所望するカテゴリの端末利用情報の削除や同期を実行させることができる。
【００４７】
また、本発明は、コンピュータに、管理端末から、携帯端末で利用される端末利用情報を消去させるための消去指示メッセージを受信する受信工程と、前記消去指示メッセージに基づいて、前記端末利用情報を消去する消去工程と、を実行させるための携帯端末制御プログラムである。
【００４８】
この発明によれば、管理端末から、携帯端末で利用される端末利用情報を消去させるための消去指示メッセージを受信し、消去指示メッセージに基づいて、端末利用情報を消去することとしたので、端末利用情報の漏洩を防止することができる。
【００４９】
また、本発明は、管理端末から、携帯端末で利用される端末利用情報を消去させるための消去指示メッセージを受信する受信工程と、前記消去指示メッセージに基づいて、前記端末利用情報を消去する消去工程と、を含むことを特徴とする。
【００５０】
この発明によれば、管理端末から、携帯端末で利用される端末利用情報を消去させるための消去指示メッセージを受信し、消去指示メッセージに基づいて、端末利用情報を消去することとしたので、端末利用情報の漏洩を防止することができる。
【００５１】
また、本発明は、管理端末から携帯端末で利用される端末利用情報を消去させるための消去指示メッセージを受信する受信手段と、前記消去指示メッセージに基づいて、前記端末利用情報を消去する消去手段と、を備えたことを特徴とする。
【００５２】
この発明によれば、管理端末から、携帯端末で利用される端末利用情報を消去させるための消去指示メッセージを受信し、消去指示メッセージに基づいて、端末利用情報を消去することとしたので、端末利用情報の漏洩を防止することができる。
【発明の効果】
【００５３】
本発明によれば、管理端末から、携帯端末で利用される端末利用情報の消去指示を受け付け、消去指示に基づいて、携帯端末に端末利用情報を消去させるための消去指示メッセージを、携帯端末宛に送信させることとしたので、端末利用情報の漏洩を防止することができるという効果を奏する。
【００５４】
また、本発明によれば、携帯端末から端末利用情報に関する消去の完了通知を受け付けることとしたので、確実に消去されたことを当該携帯電話のユーザに報知することができ、安心感を与えることができるという効果を奏する。
【００５５】
また、本発明によれば、携帯端末から、該携帯端末で保存された端末利用情報と、他の端末とも共用される端末利用情報との同期をとる同期指示を受け付け、同期指示に基づいて、両端末利用情報の同期をとり、同期の結果を携帯端末に取得させるための同期結果取得メッセージを、携帯端末宛に送信させることとしたので、簡単な操作で同期をとることができるという効果を奏する。
【００５６】
また、本発明によれば、携帯端末から、該携帯端末で保存された端末利用情報と、他の端末とも共用される共用端末利用情報との同期をとる同期指示を受け付け、同期指示に基づいて、端末利用情報と共用端末利用情報との同期をとり、同期の結果を携帯端末に取得させるための同期結果取得メッセージを、携帯端末宛に送信させることとしたので、簡単な操作で同期をとることができるという効果を奏する。
【００５７】
また、本発明によれば、携帯端末で保存された端末利用情報を、共用端末利用情報に上書きすることとしたので、端末利用情報のバックアップを容易に行うことができるという効果を奏する。
【００５８】
また、本発明によれば、端末利用情報を複数のカテゴリに分類し、カテゴリ選択することとしたので、ユーザが所望するカテゴリの端末利用情報の削除や同期を実行させることができるという効果を奏する。
【００５９】
また、本発明によれば、管理端末から、携帯端末で利用される端末利用情報を消去させるための消去指示メッセージを受信し、消去指示メッセージに基づいて、端末利用情報を消去することとしたので、端末利用情報の漏洩を防止することができるという効果を奏する。
【発明を実施するための最良の形態】
【００６０】
以下に、本発明にかかる端末利用情報管理プログラム、端末利用情報管理方法、端末利用情報管理装置、携帯端末制御プログラム、携帯端末制御方法および携帯端末制御装置の一実施例を図面に基づいて詳細に説明する。なお、この一実施例によりこの発明が限定されるものではない。
【実施例】
【００６１】
図１は、本発明の一実施例の構成を示すブロック図である。同図において、携帯端末１０1〜１０nは、ｎ人のユーザにそれぞれ携帯される携帯電話端末、ＰＨＳ端末、ＰＤＡ等であり、無線回線を介して、無線基地局３０1、３０2、・・・に収容される。これらの携帯端末１０1〜１０nは、通話、メール通信、インターネット通信等を行う機能を備えている。
【００６２】
無線基地局３０1、３０2、・・・は、ゾーン方式により分散配置されており、ネットワーク４０に接続されている。ネットワーク４０は、移動通信ネットワーク、インターネット、イントラネット、ＬＡＮ等である。
【００６３】
携帯端末１０1において、制御部１１1は、通信や情報管理等に関する制御を行う。記憶部１２1には、制御部１１1で実行されるアプリケーションプログラムや、図２に示した端末利用情報２０、携帯端末１０1を識別するための携帯端末ＩＤ等が記憶されている。アプリケーションプログラムは、後述する同期処理（図４参照）や削除処理（図５参照）を実行するためのプログラムである。
【００６４】
図２に示した端末利用情報２０は、携帯端末１０1で利用される情報であり、アドレス帳情報２１、スケジュール情報２２、着信メロディ情報２３、写真画像情報２４、動画情報２５、壁紙情報２６、携帯端末１０1等で実行されるプログラム（図示略）、音声情報（図示略）、音楽情報（図示略）等という複数のカテゴリに分類されている。
【００６５】
アドレス帳情報２１は、電話番号、住所、氏名、電子メールアドレス等に関する情報である。スケジュール情報２２は、当該ユーザのスケジュールに関する情報である。着信メロディ情報２３は、着信メロディに関する情報である。写真画像情報２４は、写真画像に関する情報である。動画情報２５は、動画に関する情報である。壁紙情報２６は、待ち受け画面の背景として用いられる壁紙に関する情報である。
【００６６】
図１に戻り、操作部１３1は、テンキー、ファンクションキー、発信キー等であり、各種操作に用いられる。表示部１４1は、ＬＣＤ（Liquid Crystal Display）であり、各種メニュー、端末利用情報、電子メール等を表示する。
【００６７】
携帯端末１０2〜１０nも、携帯端末１０1と同様の構成とされている。但し、携帯端末１０1〜１０nは、複数の携帯端末事業者（キャリア）に属している。例えば、携帯端末１０1は、後述する携帯端末事業者システム７０1に対応する携帯端末事業者に属している。また、携帯端末１０2は、後述する携帯端末事業者システム７０2に対応する携帯端末事業者に属している。
【００６８】
ユーザ端末群５０1は、携帯端末１０1のユーザが所有するパーソナルコンピュータ、携帯端末等であり、複数のユーザ端末５１11、５１12、・・・から構成されており、ネットワーク４０に接続されている。すなわち、当該ユーザは、携帯端末１０1、ユーザ端末５１11、５１12、・・・を所有している。
【００６９】
ユーザ端末群５０2は、携帯端末１０2のユーザが所有するパーソナルコンピュータ、携帯端末等であり、複数のユーザ端末５１21、５１22、・・・から構成されており、ネットワーク４０に接続されている。すなわち、当該ユーザは、携帯端末１０2、ユーザ端末５１21、５１22、・・・を所有している。
【００７０】
端末利用情報管理装置６０は、ユーザ毎に端末利用情報を管理（後述する同期、削除等）する装置であり、ネットワーク４０に接続されている。ここで、端末利用情報管理装置６０で管理される各ユーザの端末利用情報は、携帯端末１０1およびユーザ端末群５０1、携帯端末１０2およびユーザ端末群５０2、・・・で共有されている。
【００７１】
端末利用情報管理装置６０において、制御部６１は、装置各部を制御する。この制御部６１の動作の詳細については、後述する。記憶部６２は、制御部６１で用いられる情報や、プログラムを記憶する。
【００７２】
表示部６４は、ＬＣＤやＣＲＴ（Cathode Ray Tube）である。端末利用情報データベース６５は、ユーザ毎に端末利用情報を格納するデータベースである。
【００７３】
具体的には、図３に示したように、端末利用情報データベース６５は、「ユーザＩＤ」、「パスワード」、「携帯端末ＩＤ」、「携帯端末事業者ＩＤ」、「アドレス帳情報」、「スケジュール情報」、「着信メロディ情報」、「写真画像情報」、「動画情報」、「壁紙情報」、・・・、「同期リクエストＩＤ」、「消去リクエストＩＤ」、「消去ステータス」等のフィールドを備えている。
【００７４】
「ユーザＩＤ」は、ユーザを識別するための識別子である。「パスワード」は、「ユーザＩＤ」とともに認証処理に用いられる情報である。「携帯端末ＩＤ」は、当該ユーザが所有する携帯端末（例えば、携帯端末１０1）を識別するための識別子である。「携帯端末事業者ＩＤ」は、当該ユーザが所有する携帯端末が属する携帯端末事業者を識別するための識別子である。
【００７５】
「アドレス帳情報」、「スケジュール情報」、「着信メロディ情報」、「写真画像情報」、「動画情報」および「壁紙情報」は、当該ユーザが所有する端末（例えば、携帯端末１０1、ユーザ端末群５０1）で共有される端末利用情報であり、図２に示したアドレス帳情報２１、スケジュール情報２２、着信メロディ情報２３、写真画像情報２４、動画情報２５および壁紙情報２６と同義である。
【００７６】
ここで、端末利用情報データベース６５における端末利用情報は、携帯端末１０1やユーザ端末群５０1等により更新される。従って、例えば、ユーザ端末５１11により、端末利用情報データベース６５の端末利用情報が更新された場合には、該端末利用情報と、携帯端末１０1における端末利用情報２０との同期がとられていない状態（不一致の状態）とされる。このような場合には、同期をとるための同期処理が実行される。
【００７７】
「同期リクエストＩＤ」は、携帯端末１０1〜１０nから端末利用情報管理装置６０に対して、上記同期処理をリクエストする際の識別子である。「消去リクエストＩＤ」は、後述する管理端末８０1〜８０mから携帯端末１０1〜１０nにおける各端末利用情報２０（図２参照）を遠隔制御により消去する際の識別子である。「消去ステータス」は、携帯端末１０1〜１０nにおける各端末利用情報２０の消去状態（消去開始、消去完了等）を表す。
【００７８】
図１に戻り、通信部６６は、所定の通信プロトコルに従って、通信を制御する。携帯端末事業者システム７０1〜７０mは、複数ｍの携帯端末事業者により運営される通信システムであり、携帯端末１０1〜１０nの発着信制御、ユーザ管理、遠隔制御等を行う。管理端末８０1〜８０mは、携帯端末事業者のサービスセンタ等に設けられたコンピュータ端末であり、Ｗｅｂページを閲覧するためのブラウザを備えている。これらの管理端末８０1〜８０mは、携帯端末１０1〜１０nにおける各端末利用情報２０を遠隔制御で消去する場合に操作される。
【００７９】
つぎに、一実施例における同期処理について、図４に示したシーケンス図を参照しつつ説明する。同期処理は、携帯端末１０1〜１０nにおける端末利用情報２０（図２参照）と、端末利用情報管理装置６０における端末利用情報データベース６５（図３参照）の端末利用情報との同期（両者を一致させる）をとるための処理である。
【００８０】
以下では、携帯端末１０1の端末利用情報２０と、端末利用情報データベース６５の端末利用情報との同期をとる場合を一例にとって説明する。
【００８１】
図４に示したステップＳＡ１では、携帯端末１０1は、同期処理を実行するためのユーザ操作に基づいて、無線基地局３０1およびネットワーク４０を介して、端末利用情報管理装置６０にアクセスする。ステップＳＡ２では、ユーザＩＤおよびパスワードが携帯端末１０1で入力された後、これらのユーザＩＤおよびパスワードと、端末利用情報データベース６５とが端末利用情報管理装置６０の制御部６１で照合され、当該ユーザが本人であることを認証するための認証処理が実行される。
【００８２】
この場合、認証されたものとすると、ステップＳＡ３では、携帯端末１０1の制御部１１1は、端末利用情報２０（図２参照）から同期対象の情報（以下、同期対象情報という）をカテゴリ単位でユーザに選択させるための同期対象情報選択画面（図示略）を表示部１４1に表示させ、同期対象情報を選択させる。この場合には、同期対象情報として、例えば、アドレス帳情報２１というカテゴリが選択されたものとする。
【００８３】
ステップＳＡ４では、制御部１１1は、同期対象情報（アドレス帳情報２１）を記憶部１２1から読み出す。ステップＳＡ５では、制御部１１1は、同期対象情報（アドレス帳情報２１）を圧縮し、情報量を低減させる。ステップＳＡ６では、制御部１１1は、同期リクエストＩＤを生成する。
【００８４】
ステップＳＡ７では、制御部１１1は、記憶部１２1に記憶されている携帯端末ＩＤ、同期リクエストＩＤ、端末利用情報管理装置６０に同期処理を実行させるための同期コマンドおよび同期対象情報（アドレス帳情報２１）を端末利用情報管理装置６０へ送信する。
【００８５】
ステップＳＡ８では、端末利用情報管理装置６０の制御部６１は、携帯端末１０1からの同期コマンドに基づいて、同期対象情報（アドレス帳情報２１）と、端末利用情報データベース６５の同期対象情報（アドレス帳情報）との同期をとるための同期処理を実行する。
【００８６】
具体的には、同期処理は、つぎのパターン１〜パターン５のうちいずれかのパターンに基づいて実行される。
【００８７】
（パターン１）
パターン１では、端末利用情報データベース６５の同期対象情報よりも、携帯端末１０1の同期対象情報を優先させ、前回同期処理と比較して、新しければ、追加、変更されていれば、更新、存在しなれば、削除を行う。競合（端末利用情報データベース６５の同期対象情報および携帯端末制御装置１０1の同期対象情報の双方で同じ情報が更新）が発生している場合には、携帯端末１０1の同期対象情報で、端末利用情報データベース６５の同期対象情報を上書きする。
【００８８】
（パターン２）
パターン２では、携帯端末１０1の同期対象情報よりも、端末利用情報データベース６５の同期対象情報を優先させ、前回同期処理と比較して、新しければ、追加、変更されていれば、更新、存在しなれば、削除を行う。競合が発生している場合には、端末利用情報データベース６５の同期対象情報で、携帯端末１０1の同期対象情報を上書きする。
【００８９】
（パターン３）
パターン３では、競合が発生している場合、端末利用情報データベース６５の同期対象情報と、携帯端末１０1の同期対象情報とに優先順位をつけずに、端末利用情報データベース６５の同期対象情報を携帯端末１０1の同期対象情報に追加するとともに、携帯端末１０1の同期対象情報を端末利用情報データベース６５の同期対象情報に追加する。
【００９０】
（パターン４）
パターン４では、携帯端末１０1の同期対象情報が最新であるとして、携帯端末１０1の同期対象情報で、端末利用情報データベース６５の同期対象情報を上書きする（実質的に携帯端末１０1の同期対象情報を端末利用情報データベース６５にバックアップ）。
【００９１】
（パターン５）
パターン４では、端末利用情報データベース６５の同期対象情報が最新であるとして、端末利用情報データベース６５の同期対象情報で、携帯端末１０1の同期対象情報を上書きする。
【００９２】
また、同期処理において、携帯端末１０1の同期対象情報と、端末利用情報データベース６５の同期対象情報とのデータ形式が異なる場合（例えば、一方が半角カタカナで、他方が全角カタカナ）、制御部６１は、携帯端末１０1の同期対象情報を、端末利用情報データベース６５の同期対象情報のデータ形式に変換した後、パターン１〜５を実行する。
【００９３】
ステップＳＡ９では、制御部６１は、携帯端末１０1に対応する携帯端末事業者システム７０1へショートメッセージ送信をリクエストするとともに、携帯端末ＩＤを送信する。ショートメッセージは、携帯端末事業者システム７０1から携帯端末１０1へ強制着信させるための電子メールの一種である。
【００９４】
ステップＳＡ１０では、携帯端末事業者システム７０1は、位置登録制御を利用して、携帯端末ＩＤをキーとして、携帯端末１０1が、例えば、無線基地局３０1のエリア内に存在しているか否かを判断する。この判断結果が「Ｎｏ」である場合、携帯端末事業者システム７０1は、同判断を繰り返す。
【００９５】
一方、ステップＳＡ１０の判断結果が「Ｙｅｓ」である場合、ステップＳＡ１１では、携帯端末事業者システム７０1は、携帯端末１０1へ同期処理が終了したことを表すショートメッセージを送信する。このショートメッセージを受信すると、ステップＳＡ１２では、携帯端末１０1の制御部１１1は、アプリケーションプログラム等を起動する。
【００９６】
ステップＳＡ１３では、携帯端末１０1の制御部１１1は、端末利用情報管理装置６０へ同期結果をリクエストするとともに、ステップＳＡ６で生成された同期リクエストＩＤを送信する。ステップＳＡ１４では、端末利用情報管理装置６０の制御部６１は、ステップＳＡ７で送信された同期リクエストＩＤと、ステップＳＡ１３で送信された同期リクエストＩＤとが一致するか否かを判断する。
【００９７】
ステップＳＡ１４の判断結果が「Ｎｏ」である場合、ステップＳＡ１５では、端末利用情報管理装置６０の制御部６１は、携帯端末１０1に対して、ＮＧ応答を出す。一方、ステップＳＡ１４の判断結果が「Ｙｅｓ」である場合、制御部６０1は、ステップＳＡ８の同期処理における同期結果（同期後の同期対象情報）を携帯端末１０1へ送信する。ステップＳＡ１７では、携帯端末１０1の制御部１１1は、端末利用情報管理装置６０からの同期結果（同期後の同期対象情報）を、記憶部１２1の端末利用情報２０（図２参照）に反映させる。
【００９８】
つぎに、一実施例における削除処理について、図５に示したシーケンス図を参照しつつ説明する。削除処理は、例えば、携帯端末１０1を紛失した場合、管理端末８０1（または、ブラウザを搭載したユーザ端末５１11等でも可）を用いて、遠隔制御により、端末利用情報を消去するための処理である。
【００９９】
図５に示したステップＳＢ１では、当該ユーザの依頼を受けた担当者により操作される管理端末８０1は、削除処理を実行するための操作に基づいて、無線基地局３０1およびネットワーク４０を介して、端末利用情報管理装置６０にアクセスする。ステップＳＢ２では、ユーザＩＤおよびパスワードが管理端末８０1で入力された後、これらのユーザＩＤおよびパスワードと、端末利用情報データベース６５とが端末利用情報管理装置６０の制御部６１で照合され、当該ユーザが本人であることを認証するための認証処理が実行される。
【０１００】
この場合、認証されたものとすると、ステップＳＢ３では、管理端末８０1は、端末利用情報２０（図２参照）のうち消去対象の情報（以下、消去対象情報という）をカテゴリ単位でユーザに選択させるための消去対象情報選択画面（図示略）を表示部（図示略）に表示させ、消去対象情報を選択させる。この場合には、消去対象情報として、例えば、アドレス帳情報２１というカテゴリが選択されたものとする。
【０１０１】
ステップＳＢ４では、管理端末８０1は、携帯端末１０1の記憶部１２1に記憶されている消去対象データ（アドレス帳情報２１）の削除を実行させるための削除コマンドおよび携帯端末制御装置ＩＤを端末利用情報管理装置６０へ送信する。
【０１０２】
ステップＳＢ５では、端末利用情報管理装置６０の制御部６１は、管理端末８０1からの消去コマンドに基づいて、消去リクエストＩＤを生成し、これを端末利用情報データベース６５に保存する。ステップＳＢ６では、制御部６１は、携帯端末事業者システム７０1に対して、携帯端末１０1の消去対象情報（アドレス帳情報２１）を消去すべきこと指示するショートメッセージの送信をリクエストするとともに、消去リクエストＩＤおよび携帯端末ＩＤを送信する。
【０１０３】
ステップＳＢ７では、携帯端末事業者システム７０1は、位置登録制御を利用して、携帯端末ＩＤをキーとして、携帯端末１０1が、例えば、無線基地局３０1のエリア内に存在しているか否かを判断する。この判断結果が「Ｎｏ」である場合、携帯端末事業者システム７０1は、同判断を繰り返す。
【０１０４】
一方、ステップＳＢ７の判断結果が「Ｙｅｓ」である場合、ステップＳＢ８では、携帯端末事業者システム７０1は、携帯端末１０1へ、削除対象情報（アドレス帳情報２１）の削除を指示するためのショートメッセージ（消去リクエストＩＤを含む）を送信する。このショートメッセージを受信すると、ステップＳＢ９では、携帯端末１０1の制御部１１1は、アプリケーションプログラム等を起動する。
【０１０５】
ステップＳＢ１０では、携帯端末１０1の制御部１１1は、端末利用情報管理装置６０へ消去リクエストＩＤを送信する。ステップＳＢ１１では、端末利用情報管理装置６０の制御部６１は、ステップＳＢ５で保存された消去リクエストＩＤと、ステップＳＢ１０で送信された消去リクエストＩＤとが一致するか否かを判断する。
【０１０６】
ステップＳＢ１１の判断結果が「Ｎｏ」である場合、ステップＳＢ１２では、端末利用情報管理装置６０の制御部６１は、携帯端末１０1に対して、ＮＧ応答を出す。一方、ステップＳＢ１１の判断結果が「Ｙｅｓ」である場合、ステップＳＢ１３では、制御部６０1は、携帯端末１０1に対して、ＯＫ応答を出す。ステップＳＢ１４では、制御部６０1は、消去ステータス（図３参照）に消去開始を設定する。
【０１０７】
ステップＳＢ１５では、携帯端末１０1の制御部１１1は、記憶部１２1から消去対象情報（アドレス帳情報２１）を消去する。ステップＳＢ１６では、制御部１１1は、消去リクエストＩＤおよび完了通知を端末利用情報管理装置６０へ送信する。ステップＳＢ１７では、制御部６０1は、消去ステータス（図３参照）に消去完了を設定する。ステップＳＢ１８では、制御部６０1は、電子メール等を介して、管理端末８０1へ消去完了を通知する。
【０１０８】
なお、一実施例においては、端末利用情報管理装置６０と、携帯端末事業者システム７０1〜７０mとを別設した構成例について説明したが、携帯端末事業者システム７０1〜７０mのそれぞれに端末利用情報管理装置６０の機能を持たせる構成例としてもよい。
【０１０９】
また、一実施例においては、電子メールの一種であるショートメッセージを用いて、端末利用情報を遠隔消去する構成例について説明したが、携帯端末１０1に着信回数と着信間隔を設定しておき、別の電話機から紛失した携帯端末１０1に電話をかけ、これらの着信回数および着信間隔の条件が満たされた場合に、携帯端末１０1で端末利用情報を消去する構成例としてもよい。
【０１１０】
以上説明したように、一実施例によれば、管理端末８０1から、携帯端末１０1で利用される端末利用情報の消去指示を受け付け、消去指示に基づいて、携帯端末１０1に端末利用情報を消去させるための消去指示メッセージを、携帯端末１０1宛に送信させることとしたので、端末利用情報の漏洩を防止することができる。
【０１１１】
また、一実施例によれば、携帯端末１０1から端末利用情報に関する消去の完了通知を受け付けることとしたので、確実に消去されたことを当該携帯電話のユーザに報知することができ、安心感を与えることができる。
【０１１２】
また、一実施例によれば、携帯端末１０1から、該携帯端末１０1で保存された端末利用情報と、他の端末とも共用される端末利用情報との同期をとる同期指示を受け付け、同期指示に基づいて、両端末利用情報の同期をとり、同期の結果を携帯端末１０1に取得させるための同期結果取得メッセージを、携帯端末１０1宛に送信させることとしたので、簡単な操作で同期をとることができる。
【０１１３】
また、一実施例によれば、携帯端末１０1から、該携帯端末１０1で保存された端末利用情報と、他の端末とも共用される共用端末利用情報との同期をとる同期指示を受け付け、同期指示に基づいて、端末利用情報と共用端末利用情報との同期をとり、同期の結果を携帯端末１０1に取得させるための同期結果取得メッセージを、携帯端末１０1宛に送信させることとしたので、簡単な操作で同期をとることができる。
【０１１４】
また、一実施例によれば、携帯端末１０1で保存された端末利用情報を、共用端末利用情報に上書きすることとしたので、端末利用情報のバックアップを容易に行うことができる。
【０１１５】
また、一実施例によれば、図２に示したように、端末利用情報２０を、アドレス帳２１、スケジュール情報２２、着信メロディ情報２３、写真画像情報２４、動画情報２５、壁紙情報２６、携帯端末１０1等で実行されるプログラム、音声情報、音楽情報等という複数のカテゴリに分類し、カテゴリ選択することとしたので、ユーザが所望するカテゴリの端末利用情報の削除や同期を実行させることができる。
【０１１６】
また、一実施例によれば、管理端末８０1から、携帯端末１０1で利用される端末利用情報を消去させるための消去指示メッセージを受信し、消去指示メッセージに基づいて、端末利用情報を消去することとしたので、端末利用情報の漏洩を防止することができる。
【０１１７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１１８】
例えば、前述した一実施例においては、端末利用情報管理装置６０、携帯端末１０1〜１０nの各機能を実現するためのプログラムを図６に示したコンピュータ読み取り可能な記録媒体２００に記録して、この記録媒体２００に記録されたプログラムを同図に示したコンピュータ１００に読み込ませ、実行することにより各機能を実現してもよい。
【０１１９】
同図に示したコンピュータ１００は、上記プログラムを実行するＣＰＵ（Central Processing Unit）１１０と、キーボード、マウス等の入力装置１２０と、各種データを記憶するＲＯＭ（Read Only Memory）１３０と、演算パラメータ等を記憶するＲＡＭ（Random Access Memory）１４０と、記録媒体２００からプログラムを読み取る読取装置１５０と、ディスプレイ、プリンタ等の出力装置１６０と、から構成されている。
【０１２０】
ＣＰＵ１１０は、読取装置１５０を経由して記録媒体２００に記録されているプログラムを読み込んだ後、プログラムを実行することにより、前述した機能を実現する。なお、記録媒体２００としては、光ディスク、フレキシブルディスク、ハードディスク等が挙げられる。
【産業上の利用可能性】
【０１２１】
以上のように、本発明にかかる端末利用情報管理プログラム、端末利用情報管理方法、端末利用情報管理装置、携帯端末制御プログラム、携帯端末制御方法および携帯端末制御装置は、端末利用情報（アドレス帳情報、スケジュール情報等）の消去、同期に対して有用である。
【図面の簡単な説明】
【０１２２】
【図１】本発明にかかる一実施例の構成を示すブロック図である。
【図２】同一実施例における端末利用情報２０を示す図である。
【図３】図１に示した端末利用情報データベース６５のテーブル構造を示す図である。
【図４】同一実施例における同期処理を説明するシーケンス図である。
【図５】同一実施例における削除処理を説明するシーケンス図である。
【図６】同一実施例の変形例の構成を示すブロック図である。
【符号の説明】
【０１２３】
１０1  携帯端末
１１1  制御部
１２1  記憶部
５０1  ユーザ端末群
６０  端末利用情報管理装置
６１  制御部
６１  制御部
６５  端末利用情報データベース
７０1  携帯端末事業者システム
８０1  管理端末
【図１】
2005151140.tif 000003
【図２】
2005151140.tif 000004
【図３】
2005151140.tif 000005
【図４】
2005151140.tif 000006
【図５】
2005151140.tif 000007
【図６】
2005151140.tif 000008